(57)【要約】【課題】  内蔵型記憶装置を使用するビデオカメラで、バックアップを使用者に促す。【解決手段】  撮影映像は、圧縮伸長回路（１８）により圧縮されて、ＨＤＤ（２０）に記録される。マイクロコンピュータ（２６）は、リアルタイムクロック（３２）を参照し、記録映像の記録日時及びバックアップ状況をレイリスト情報に記録する。マイクロコンピュータ（２６）は、電源オン時、電源オフ時、又は、予め規定された日に、記録日時から一定期間、経過し、且つバックアップされていない記録映像があるかどうか検出し、未バックアップの映像がある場合に、液晶表示パネル（２４）の画面上に警告を表示する。【選択図】  図１
2009081759.tif 000002
【特許請求の範囲】
【請求項１】
画像情報を記録媒体に記録する記録手段と、
日時情報を生成する日時情報生成手段と、
前記記録媒体に記録された画像情報の記録日時を検出する記録日時検出手段と、
前記記録媒体に記録された画像情報のうち外部機器にバックアップされていないものを検出するバックアップ状態検出手段と、
前記記録媒体に記録された画像情報のうち、前記記録日時から予め決められた期間が経過し、かつ、バックアップされていない画像情報を検出する未バックアップ検出手段と、
前記未バックアップ検出手段の出力に従い未バックアップを警告する警告手段
とを具備することを特徴とする画像記録装置。
【請求項２】
前記記録手段は、前記画像情報の記録日時を示す情報と前記記録媒体に記録された画像情報がバックアップされているか否かを示すバックアップ状態情報とを前記記録媒体に記録し、前記未バックアップ検出手段は、前記記録日時を示す情報と前記バックアップ状態情報とに基づいて、前記記録日時から予め決められた期間が経過し、かつ、バックアップされていない画像情報を検出することを特徴とする請求項１に記載の画像記録装置。
【請求項３】
前記記録手段は、前記記録媒体に記録される画像情報を管理する画像管理情報に、前記記録日時の情報及び前記バックアップ状態情報を含めて記録することを特徴とする請求項１又は２に記載の画像記録装置。
【請求項４】
前記未バックアップ検出手段は、予め規定された日において、前記記録日時からある期間が経過し、かつ、バックアップされていない画像情報を検出することを特徴とする請求項１乃至３の何れか１項に記載の画像記録装置。
【請求項５】
前記未バックアップ検出手段は、前記警告手段による警告から、規定された期間、経過した後に、前記記録日時から別のある期間が経過し、かつ、バックアップされていない画像情報を検出することを特徴とする請求項１乃至４の何れか１項に記載の画像記録装置。
【請求項６】
前記記録媒体から前記画像情報を再生する再生モードを有し、
前記警告手段は、前記再生モードのときに、前記検出手段の出力に従い未バックアップを警告する
ことを特徴とする請求項１乃至５の何れか１項に記載の画像記録装置。
【請求項７】
更に、前記画像情報を外部機器に転送するための外部機器接続手段をさらに有し、
前記警告手段は、前記外部機器接続手段に前記外部機器が接続するとき、前記検出手段の出力に従い未バックアップを警告する
ことを特徴とする請求項１乃至５の何れか１項に記載の画像記録装置。
【請求項８】
前記警告手段は、前記画像情報の代表画像を表示する画像表示手段であって、前記バックアップ状態情報に基づきバックアップ状態を示す情報を前記代表画像に付加して表示する画像表示手段を含むことを特徴とする請求項１乃至７の何れか１項に記載の画像記録装置。
【請求項９】
画像情報を記録媒体に記録する記録手段と、
日時情報を生成する日時情報生成手段と、
前記記録媒体に記録された画像情報の記録日時を検出する記録日時検出手段と、
前記記録媒体に記録された画像情報のうち外部機器にバックアップされていないものを検出するバックアップ状態検出手段と、
前記記録媒体に記録された画像情報のうち、バックアップされていない画像情報を検出する未バックアップ検出手段と、
前記画像情報を代表する代表画像を表示する表示手段
とを具備し、
前記表示手段は、前記未バックアップ検出手段に従い、前記代表画像に未バックアップを示す情報を重畳して表示する
ことを特徴とする画像記録装置。
【発明の詳細な説明】
【技術分野】
【０００１】
本発明は、デジタルビデオカメラ等の画像記録装置に関する。
【背景技術】
【０００２】
最近のデジタルビデオカメラはＨＤＤなどの大容量記憶装置を内蔵し、この内蔵記憶装置に映像や音声を記録する。この種の内蔵記憶装置は容易に交換することができない。通常は、記録データのうち、必要なデータを、パーソナルコンピュータや外部ドライブ等にバックアップした後、内蔵記憶装置から削除することで、空き容量を確保する。例えば、特許文献１参照。
【特許文献１】特開２００４−５６３９６号公報
【発明の開示】
【発明が解決しようとする課題】
【０００３】
しかし、従来の方法は、記録データと空き容量の管理を利用者の意識に頼るものである。いざ撮影を行おうとしたときに空きが少なく、止むを得ず記録映像の一部を削除しなければならないことがある。
【０００４】
本発明は、このような課題を解決し、適宜なタイミングでユーザに内蔵記憶装置からのデータの削除（又はバックアップ）を通知する画像記録装置を提示することを目的とする。
【課題を解決するための手段】
【０００５】
本発明に係る画像記録装置は、画像情報を記録媒体に記録する記録手段と、日時情報を生成する日時情報生成手段と、前記記録媒体に記録された画像情報の記録日時を検出する記録日時検出手段と、前記記録媒体に記録された画像情報のうち外部機器にバックアップされていないものを検出するバックアップ状態検出手段と、前記記録媒体に記録された画像情報のうち、前記記録日時から予め決められた期間が経過し、かつ、バックアップされていない画像情報を検出する未バックアップ検出手段と、前記未バックアップ検出手段の出力に従い未バックアップを警告する警告手段とを具備することを特徴とする。
【０００６】
本発明に係る画像記録装置は、画像情報を記録媒体に記録する記録手段と、日時情報を生成する日時情報生成手段と、前記記録媒体に記録された画像情報の記録日時を検出する記録日時検出手段と、前記記録媒体に記録された画像情報のうち外部機器にバックアップされていないものを検出するバックアップ状態検出手段と、前記記録媒体に記録された画像情報のうち、バックアップされていない画像情報を検出する未バックアップ検出手段と、前記画像情報を代表する代表画像を表示する表示手段とを具備し、前記表示手段は、前記未バックアップ検出手段に従い、前記代表画像に未バックアップを示す情報を重畳して表示することを特徴とする。
【発明の効果】
【０００７】
本発明によれば、記録された画像情報のうちバックアップされていない画像情報の存在を使用者に通知するので、使用者のバックアップ忘れを防止できる。結果的に、バックアップを促進する効果が期待できる。
【発明を実施するための最良の形態】
【０００８】
以下、図面を参照して、本発明の実施例を詳細に説明する。
【実施例１】
【０００９】
図１は、本発明に係る画像記録装置の一実施例であるビデオカメラ１０の概略構成ブロック図を示す。
【００１０】
ビデオカメラ１０は光学系として、レンズユニット１２と撮像素子１４を具備する。レンズユニット１２は、固定レンズ群、変倍レンズ群、絞り、及び補正レンズ群からなる。補正レンズ群は、変倍レンズ群の動きで移動した結像位置を補正する機能と焦点調節を行う機能とを兼ね備える。レンズユニット１２は、被写体の光学像を撮像素子１４の撮像面に結像する。撮像素子１４は、撮像面の光学像を電荷信号に変換し、画像信号を出力する。カメラ信号処理回路１６は、撮像素子１４からの画像信号にガンマ補正、色バランス調整及び色変換等の所定のカメラ信号処理を施し、デジタル画像データを出力する。
【００１１】
圧縮伸長回路１８は、画像データを動画圧縮方式で圧縮する機能と、圧縮された画像データを伸長する機能を具備する。圧縮伸長回路１８は、カメラ信号処理回路１６からのビデオ画像データを圧縮し、これで得られた圧縮ビデオデータは、ＨＤＤ（ハードディスク装置）２０に格納される。圧縮伸長回路１８はまた、再生モードで、ＨＤＤ２０から圧縮ビデオデータを読み出して、伸長する。HDD20は、画像情報を記録する記録媒体に相当する。
【００１２】
オンスクリーンディスプレイ（ＯＳＤ）装置２２は、記録モード時のカメラ信号処理回路１６からのビデオ画像データ、又は再生モード時の圧縮伸長回路１８からの再生ビデオ画像データに、各種設定メニュー、タイトル及び時間などの情報を重畳する。液晶表示パネル（ＬＣＤ）２４は、ＯＳＤ装置２２からのビデオ画像データを画像表示する。
【００１３】
本実施例のビデオカメラ１０は、マイクユニット及びスピーカを具備し、圧縮伸長回路１８は、音声データを圧縮伸長し、圧縮画像データには圧縮音声データが多重される。
【００１４】
マイクロコンピュータ２６は、システム全体を制御するシステム制御回路として機能し、バス３８を介して各部を制御する。また、マイクロコンピュータ２６は、後述のプレイリストデータの作成、更新処理を行う。フラッシュＲＯＭ２８には、マイクロコンピュータ２６が実行するプログラム及び固定データなどが格納されている。また、フラッシュＲＯＭ２８の一部領域をバックアップ状態情報の格納用とする。メモリ３０は、マイクロコンピュータ２６及び圧縮伸長回路１８の作業領域として使用される。リアルタイムクロック３２は、日時情報を生成する日時情報生成手段として、時計機能を提供する。
【００１５】
ユーザは、操作スイッチ群３４を操作して、マイクロコンピュータ２６に種々の動作を指示できる。操作スイッチ群３４は、主としてカメラ撮影を行うためのカメラモード、再生モード、及び電源オフを指示するパワーオフモードの何れかを選択できるモードスイッチを具備する。
【００１６】
画像情報を外部機器に転送するための外部機器接続手段であるＵＳＢ端子３６は、ＵＳＢケーブルを介してコンピュータ又はＵＳＢ機器に接続可能である。
【００１７】
図２は、ＨＤＤ２０のファイル構成例を示す。ルート４０の下に、”ＡＶ”という名称のディレクトリ（又はフォルダ）４２が配置される。ディレクトリ”ＡＶ”４２の下に、プレイリストのサブディレクトリ（又はサブフォルダ）”ＰＬＡＹＬＩＳＴ”４４と、ストリームデータを収容するサブディレクトリ（又はサブフォルダ）”ＳＴＲＥＡＭ”４６が配置される。
【００１８】
図２に示す例では、プレイリストのサブディレクトリ”ＰＬＡＹＬＩＳＴ”４４に、プレイリストファイル”０００００．ＰＬ”４８が収容されている。また、ストリームデータを収容するサブディレクトリ”ＳＴＲＥＡＭ”４６には、圧縮ビデオデータファイル”０００００．ＭＴＳ”〜”００００４．ＭＴＳ”５０が収容されている。圧縮ビデオデータファイル”０００００．ＭＴＳ”〜”００００４．ＭＴＳ”は、プレイリストファイル”０００００．ＰＬ”の記述順で再生される。
【００１９】
図３は、プレイリストの記述内容例を示す。プレイリストは、ＰｌａｙＩｔｅｍ情報（再生項目情報）と拡張情報からなる。ＰｌａｙＩｔｅｍ情報は、ＰｌａｙＩｔｅｍ数（再生項目数）と、ＰｌａｙＩｔｅｍ数だけのＰｌａｙＩｔｅｍ（再生項目）データとからなる。１つのＰｌａｙＩｔｅｍデータが、１つの圧縮ビデオデータファイルを指定する。ＰｌａｙＩｔｅｍデータの記述順に、ＰｌａｙＩｔｅｍで指定される圧縮ビデオファイルが再生される。
【００２０】
ＰｌａｙＩｔｅｍデータは、ファイル番号、記録日時、インタイム（ＩＮ  ＴＩＭＥ）及びアウトタイム（ＯＵＴ  ＴＩＭＥ）を少なくとも収容する。ファイル番号は、圧縮ビデオデータファイルの数字部分の５文字を示す。インタイム（ＩＮ  ＴＩＭＥ）及びアウトタイム（ＯＵＴ  ＴＩＭＥ）は、ＭＰＥＧ２で規定されるＰＴＳ（Presentation Time Stamp）と称する再生時刻情報で示される。
【００２１】
本実施例では、拡張情報にバックアップ状態情報を記述する。例えば、ＰｌａｙＩｔｅｍごとに１ビットのバックアップフラグを割り当てる。そのバックアップフラグが、”０”のとき未バックアップであり、”１”のときバックアップ済みであることを示す。初期値は”０”（未バックアップ）である。
【００２２】
即ち、本実施例では、ＨＤＤ２０に記憶されるプレイリストに記録日時情報と、バックアップ状態情報が格納される。ＨＤＤ２０は記録日時記憶手段に相当すると共に、バックアップ情報記憶手段に相当する。ＨＤＤ２０に記憶されるプレイリストは、ＨＤＤ２０に記録される画像情報を管理する画像管理情報に相当する。
【００２３】
マイクロコンピュータ２６は、電源が投入されると、ＨＤＤ２０に記録されたプレイリストファイルを読み出し、フラッシュＲＯＭ２８に記憶する。そして、ＨＤＤ２０に対して新たにビデオデータファイルを記録する度に、フラッシュＲＯＭ２８に記憶したプレイリストファイルの内容を更新する。即ち、新たに記録されたビデオデータファイルを一つのＰｌａｙＩｔｅｍとして、先に記録されていたビデオデータファイルに続けて再生されるよう、その内容を更新する。
【００２４】
また、マイクロコンピュータ２６は、ＨＤＤ２０に記録されているビデオデータファイルが削除される度に、プレイリストファイルの内容を更新する。
【００２５】
更に、マイクロコンピュータ２６は、ＨＤＤ２０に対してビデオデータファイルが記録、或いは、削除される度に、フラッシュＲＯＭ２８に記憶されたバックアップ状態情報も更新する。具体的には、新たにビデオデータファイルが記録されると、このビデオデータファイルに対応するＰｌａｙＩｔｅｍのバックアップフラグを割り当てる。また、ＨＤＤ２０からビデオデータファイルが削除されると、この削除されたビデオデータファイルに対応するＰｌａｙＩｔｅｍのバックアップフラグを削除する。
【００２６】
また、マイクロコンピュータ２６は、後述の如く、ＨＤＤ２０に記憶されたビデオデータファイルが外部のＤＶＤ等の記録媒体にダビング（バックアップ）されたことに応じて、バックアップ状態情報を更新する。
【００２７】
そして、マイクロコンピュータ２６は、一定期間ごと、或いは、電源オフの指示などの適当なタイミングで、フラッシュＲＯＭ２８に記憶したプレイリストファイルをＨＤＤ２０に書き込む。
【００２８】
図４は、ＵＳＢ端子３６を介した外部機器との接続例を示す。図４（Ａ）は、ビデオカメラ１０を、ＵＳＢケーブル６０を介してコンピュータ６２に接続する接続例を示す。コンピュータ６２は、ＤＶＤドライブ６４を内蔵する。図４（Ｂ）は、ビデオカメラ１０を、ＵＳＢケーブル６０を介してＤＶＤドライブ６６に接続する接続例を示す。
【００２９】
ハードディスク内蔵型ビデオカメラでは、ＤＶＤディスクなどの外部記録媒体にビデオデータをコピーまたは移動する手段が必須である。図４（Ａ）に示す接続例では、ビデオカメラ１０をコンピュータ６２に接続する。コンピュータ６２にインストールされているアプリケーションソフトウエアの制御下で、ビデオカメラ１０の記録ファイルをＤＶＤドライブ６４によりＤＶＤディスクにコピーする。また、図４（Ｂ）に示す接続例では、ビデオカメラ１０の制御プログラム等が、記録ファイルをＤＶＤドライブ６６によりＤＶＤディスクにコピーする。
【００３０】
このようなバックアップ操作に応じて、マイクロコンピュータ２６は、バックアップされたビデオデータファイルの、フラッシュＲＯＭ２８のバックアップ状態情報を更新する。即ち、バックアップされたビデオデータファイルのバックアップフラグを”１”に変更する。
【００３１】
図５は、未バックアップに対する警告動作のフローチャートを示す。図５に示す処理は、例えば、電源オンの際、又は電源オフ時、記録の一時停止時等に起動される。図５に示すフローでは、記録日から所定のある期間、経過している未バックアップのビデオデータファイルを検索する。そして、そのようなビデオデータファイルが存在するとき、ユーザに警告する。
【００３２】
記録されたビデオデータファイル（シーン）を順にサーチし（Ｓ１）、バックアップフラグにより未バックアップか否かを調べる（Ｓ２）。未バックアップの場合（Ｓ２）、記録日から予め決められた規定時間以上、経過しているかどうかを調べる（Ｓ３）。規定時間は、フラッシュＲＯＭ２８に予め、記憶されている。記録日から規定時間以上、経過している未バックアップのビデオデータファイルが存在するとき（Ｓ３）、一定の方法でユーザに警告する（Ｓ４）。図６は、警告画面例を示す。
【００３３】
このように、本実施例では、記録日から規定時間経過しているシーン（記録映像）がある場合に、バックアップを促す警告をユーザに出すので、ユーザのバックアップ忘れを防止できる。マイクロコンピュータ２６によるステップＳ１〜Ｓ３の処理は、特許請求の範囲の検出手段に相当する。
【００３４】
図５に示すフローの起動タイミングを、ＵＳＢ端子３６に外部機器を接続したときに設定しても良い。また、前回の警告から別のある期間が経過した後に、図５に示すフローを起動するようにしてもよい。
【実施例２】
【００３５】
未バックアップのサーチを一定の日時、例えば、週の特定の曜日、又は月の特定日等に実行するようにしてもよい。図７は、そのように図５を変更したフローチャートを示す。
【００３６】
電源がオンになると、図７に示すフローが起動される。現在が規定日かどうかを調べる（Ｓ１１）。規定日は、ユーザが自由に設定でき、フラッシュＲＯＭ２８に格納される。規定日であれば（Ｓ１１）、記録日からある期間、経過している未バックアップのビデオデータファイルを検索し（Ｓ１２〜Ｓ１４）する。そして、そのようなビデオデータファイルが存在するとき（Ｓ１４）、ユーザに警告する（Ｓ１５）。マイクロコンピュータ２６によるステップＳ１１〜Ｓ１４の処理は、特許請求の範囲の未バックアップ検出手段に相当する。
【００３７】
このようにすることで、例えば毎月１日又は週一回など、警告を発するタイミングをユーザが決定できる。ユーザが頻繁に警告されるような事態を防止でき、警告と使い勝手を両立させることができる。
【００３８】
図７に示すフローの起動タイミングを、ＵＳＢ端子３６に外部機器を接続したとき、又は、規定日でＵＳＢ端子３６に外部機器を接続したときに設定しても良い。
【実施例３】
【００３９】
通常、記録映像を確認する際には、代表画像（サムネイル）をモニタ画面に表示する。図８は、代表画像の表示例を示す。代表画像７０，７２，７４，７６，７８は、それぞれ異なる記録映像（又は記録シーン）を代表している。図８に示す例では、代表画像７０，７８に、未バックアップを示すアイコン８０，８２が付加されている。アイコン８０，８２は、バックアップフラグが”０”である記録映像の代表画像に付加的に表示される。これにより、代表画像の表示画面上で、未バックアップか否かを確認できる。
【００４０】
このような代表画像表示は、１画面に同時に表示できる代表画像数が限定される。記録シーン数の増加に伴い、代表画像を表示する画面数が増加する。従って、代表画像の表示画面では、画面送りを繰り返さないと、未バックアップの記録映像を発見できない。
【００４１】
これに対して、未バックアップを促す警告を、代表画面表示のページ送りに連動させる。図９は、その動作フローチャートを示す。マイクロコンピュータ２６は、代表画像の新しい画面が表示される都度、図９に示すフローを実行する。
【００４２】
記録されたビデオデータファイル（シーン）を順にサーチし（Ｓ２１）、バックアップフラグにより未バックアップか否かを調べる（Ｓ２２）。未バックアップの場合（Ｓ２２）、記録日から規定時間以上、経過しているかどうかを調べる（Ｓ２３）。記録日から規定時間以上、経過している未バックアップのビデオデータファイルが存在するとき（Ｓ２３）、その代表画像が表示されているかどうかを調べる（Ｓ２４）。代表画像が表示されていれば（Ｓ２４）、一定の方法でユーザに警告する（Ｓ２５）。マイクロコンピュータ２６によるステップＳ２１〜Ｓ２４の処理は、特許請求の範囲の検出手段に相当する。
【００４３】
表示されている代表画像の記録シーンの中から、未バックアップで記録日から規定時間以上、経過している記録シーンを検索してもよいことは明らかである。
【００４４】
バックアップ状態情報をプレイリストに記録するとしたが、ファイル属性（アーカイブ、読み取り専用など）を利用しても良い。
【００４５】
記録映像の記録媒体として、内蔵型のＨＤＤ２０を例示したが、内蔵型の半導体メモリであってもよい。また、着脱可能な記録媒体であっても、実質的に取り外しされることが無い又は少ないような場合に、本発明により、使い勝手が向上する。動画像の実施例を説明したが、本発明は、静止画を記録する装置にも適用可能であることは明らかである。
【図面の簡単な説明】
【００４６】
【図１】本発明の一実施例の概略構成ブロック図である。
【図２】ＨＤＤ２０のディレクトリ構造例である。
【図３】プレイリストの構造例である。
【図４】ビデオカメラ１０と外部機器６２，６６の接続例である。
【図５】未バックアップを警告する動作フローチャートである。
【図６】警告表示例である。
【図７】未バックアップを警告する別の動作フローチャートである。
【図８】代表画像を表示する画面例である。
【図９】未バックアップを警告する更に別の動作フローチャートである。
【符号の説明】
【００４７】
１２・・・レンズユニット
１４・・・撮像素子
１６・・・カメラ信号処理回路
１８・・・圧縮伸長回路
２０・・・ＨＤＤ（ハードディスク）
２２・・・ＯＳＤ（オンスクリーンディスプレイ）装置
２４・・・液晶表示パネル
２６・・・マイクロコンピュータ
２８・・・フラッシュＲＯＭ
３０・・・メモリ
３２・・・リアルタイムクロック
３４・・・操作スイッチ群
３６・・・ＵＳＢ端子
３８・・・バス
【図１】
2009081759.tif 000003
【図２】
2009081759.tif 000004
【図３】
2009081759.tif 000005
【図４】
2009081759.tif 000006
【図５】
2009081759.tif 000007
【図６】
2009081759.tif 000008
【図７】
2009081759.tif 000009
【図８】
2009081759.tif 000010
【図９】
2009081759.tif 000011